(57)【要約】      （修正有）【課題】穂木用苗と台木用苗の茎部を切断して接合させる接木苗にあって、穂木用苗と台木用苗の接合部を固定する接ぎ具４の簡単な装着を可能とさせる。【解決手段】穂木用苗と台木用苗の接合部を固定する略円筒形接ぎ具４のスリットを押し広げて脱着させるプライヤ形の脱着部材９を設ける。【選択図】図２
2004350552.tif 000002
【特許請求の範囲】
【請求項１】
穂木用苗と台木用苗の接合部を固定する略円筒形接ぎ具のスリットを押し広げて脱着させるプライヤ形の脱着部材を設けたことを特徴とする接木の接ぎ具脱着具。
【請求項２】
スリットとは反対側の接ぎ具側面に当接させる押圧部材をスライド自在に脱着部材に設けたことを特徴とする請求項１記載の接木の接ぎ具脱着具。
【発明の詳細な説明】
【０００１】
【発明の属する技術分野】
本発明は台木用苗及び穂木用苗の茎部を切断し、切断された台木の茎部と穂木の茎部とをその切断個所で接合固定させる接木の接ぎ具脱着具に関する。
【０００２】
【従来の技術】
台木及び穂木の接木部をクリップで接合固定させる場合、台木の切口に接合させる保持具上端から穂木を挿入して、穂木と台木を接合固定させる技術がある。（例えば特許文献１参照）
【０００３】
【特許文献１】特許第２５６１７５５号公報
【０００４】
【発明が解決しようとする課題】
しかし乍ら上記の如き保持具の上端から穂木を挿入する作業は、茎径などによって容易に挿入作業が行えないばかりでなく接合の確実性に欠けるものであった。
【０００５】
【課題を解決するための手段】
したがって本発明は、穂木用苗と台木用苗の接合部を固定する略円筒形接ぎ具のスリットを押し広げて脱着させるプライヤ形の脱着部材を設けて、例えば、構造簡単なプライヤ形の脱着具を用いて、脱着具のレバーを手で握るだけの操作により接ぎ具を押し広げて接木苗への容易な装着を可能とさせて、接ぎ具装着の能率向上化を図るものである。
【０００６】
また、スリットとは反対側の接ぎ具側面に当接させる押圧部材をスライド自在に脱着部材に設けて、接ぎ具のスリット端部を掴んでの押し広げと、接ぎ具のスリットの反対側よりスリット側に対する押し作用とで、接ぎ具を必要量確実に押し広げて接木苗に対する安定した装着を可能とさせるものである。
【０００７】
【発明の実施の形態】
以下、本発明の実施例を図面に基づいて詳述する。図１は脱着具の使用状態の説明図、図２は脱着具の説明図、図３は脱着具の動作説明図、図４は接木の作業工程説明図、図５は前処理で断根したキュウリ或いはカボチャなどのウリ科やナスビ或いはジャガイモなどのナス科の苗の穂木用苗２及び台木用苗３を接木して接木苗１を形成させるもので、穂木用苗２の胚油２ｂの略中間部をＶ字形カッタなどによってＶ字状（クサビ状）に切断して、Ｖ字形切断面２ｃを苗２に形成すると共に、台木用苗３の胚油３ｂの子葉３ａ展開部をＹ字形カッタなどによってＹ字状に切断して、Ｙ字形切断面３ｃを苗３に形成すると同時に、生長点３ｄを除去して、苗２のＶ字形切断面２ｃと台木用苗３のＹ字形切断面３ｃとを接合させ、穂木子葉２ａと台木子葉３ａの展開方向が直交状態（十字状）となるように確実に接木して、日陰を発生せず日照を均一とさせて接木苗２・３の成長を促進させる。
【０００８】
そして、穂木用苗２と台木用苗３の接合部外側に一定長さ（１２ｍｍ）の略円筒形のスリーブ４を装着させて接合部を固定させるもので、前記スリーブ４は接木苗１の成長に伴い、自然脱落するためのスリット５と、スリット５を押し広げるための突起６とを有して、接木苗１の成長時には自然脱落すると共に、脱落後は数ヶ月で生分解する軟弾性のセルロースやトウモロコシなどの素材を用い、質量が軽く半透明に形成して、接合状態を外部からも容易に確認するように設けている。
【０００９】
さらに、前記スリーブ４は連続成型でリール７に収納され、リール７より繰出してカッタ８により一定長さ（１２ｍｍ）に切断して接木直後の接木苗１にハンディタイプの装着具９を用いて手動操作で装着させる。
【００１０】
前記脱着具９は中央の回動支点軸１０を中心として一端フック１１を開閉させるプライヤ形のハンドレバー１２ａ・１２ｂを有し、常時はフック１１を閉保持させる捻りコイルバネ１３をレバー１２ａ・１２ｂ間に介設させている。
【００１１】
また、スリーブ４のスリット５の反対側外面に凹部前面１４ｂを当接させるプッシャであるスライダ１４を摺動自在にレバー１２ａ・１２ｂ間に設けるもので、支点軸１０に嵌合保持させる４角ガイド体１５にスライダ１４を摺動自在に案内させ、レバー１２ａ・１２ｂ外側にスライダ１４の上部操作片１４ａを突出させ、ガイド体１５のガイドピン１６外側に嵌挿する圧縮バネ１７をガイド体１５と操作片１４ａ間に介設させ、圧縮バネ１７に抗し操作片１４ａでスライダ１４をフック１１方向に押し移動させるように設けている。
【００１２】
さらに、前記スライダ１４の一側面にはレバー１２ａのロックピン１８と係合する２箇所の全開及びロック用ピン穴１９・２０を設けていて、バネ１７の圧縮バネ力でスライダ１４が後退したときピン１８とピン穴１９の係合でレバー１２ａ・１２ｂを全閉（フック１１全開）とさせると共に、人差し指でスライダ１４を前進させレバー１２ａ・１２ｂを閉じるときピン１８とピン穴２０を係合させて、スライダ１４を前進位置で固定保持させるように構成している。
【００１３】
そして、接木苗１に対するスリーブ４の装着作業時にあっては、
（１）レバー１２ａ・１２ｂを握りフック１１を全開としてスリーブ４に接近させる。
（２）レバー１２ａ・１２ｂを握る手を緩め、フック１１を閉じる。
（３）人差し指でスライダ１４を前進させて、フック１１をスリーブ４のスリット５に挿入させる（図２（１））。
（４）レバー１２ａ・１２ｂを閉じフック１１を開いてスリーブ４を取り込む。このとき前記ピン１８がピン穴２０に係合してスライダ１４が固定される（図３（１））。
（５）接木苗１へ脱着具９を接近させレバー１２ａ・１２ｂの握りを緩めて接木苗１にスリーブ４を装着させる。このときスライダ１４はバネ１７により後退する（図３（２））。
（６）レバー１２ａ・１２ｂを閉じピン１８をピン穴１９に係合させてフック１１を全開とさせる（図３（３））。
（７）この状態で接木苗１から脱着具９を引き離して接木苗１に対するスリーブ４の装着を完了させる。以上の工程を行うもので、接木苗１からスリーブ４を取り外す場合にも略同様にして行うものである。
【００１４】
上記からも明らかなように、穂木用苗２と台木用苗３の接合部を固定する接ぎ具である略円筒形スリーブ４のスリット５を押し広げて脱着させるプライヤ形の脱着部材である脱着具９を設けたことによって、例えば構成簡単なプライヤ形の脱着具９を用いて、脱着具９のレバー１２ａ・１２ｂを手で握るだけの操作によりスリーブ４を押し広げて接木苗１への容易な装着を可能とさせて、スリーブ４装着の能率向上化を図ることができる。
【００１５】
また、スリット５とは反対側のスリーブ４側面に当接させる押圧部材であるスライダ１４をスライド自在に脱着具９に設けたことによって、スリーブ４のスリット５端部を掴んでの押し広げと、スリーブ４のスリット５の反対側よりスリット５側に対する押し作用で、スリーブ４を必要量確実に押し広げて接木苗１に対する安定した装着を可能とさせることができる。
【００１６】
以上のように、複雑なスリーブ装着機構を用いることなく、簡単な構成の脱着具９を手軽且つ取り扱い操作容易に用いてスリーブ４の簡単な装着を可能とさせることができる。
【００１７】
【発明の効果】
以上実施例から明らかなように本発明は、穂木用苗２と台木用苗３の接合部を固定する略円筒形接ぎ具４のスリット５を押し広げて脱着させるプライヤ形の脱着部材９を設けたものであるから、例えば、構成簡単なプライヤ形の脱着部材９を用いて、脱着部材９のレバー１２ａ・１２ｂを手で握るだけの操作によりスリーブ４を押し広げて接木苗１への容易な装着を可能とさせて、スリーブ４装着の能率向上化を図ることができるものである。
【００１８】
また、スリット５とは反対側の接ぎ具４側面に当接させる押圧部材１４をスライド自在に脱着部材９に設けたものであるから、接ぎ具４のスリット５端部を掴んでの押し広げと、接ぎ具４のスリット５の反対側よりスリット５側に対する押し作用とで、接ぎ具４を必要量確実に押し広げて接木苗１に対する安定した装着を可能とさせることができるものである。
【図面の簡単な説明】
【図１】脱着具の使用状態の斜視説明図。
【図２】脱着具の説明図。
【図３】脱着具の動作説明図。
【図４】接木の作業工程説明図。
【図５】スリーブの装着説明図。
【符号の説明】
２      穂木用苗
３      台木用苗
４      スリーブ（接ぎ具）
５      スリット
９      脱着具（脱着部材）
１４    スライダ（押圧部材）
【図１】
2004350552.tif 000003
【図２】
2004350552.tif 000004
【図３】
2004350552.tif 000005
【図４】
2004350552.tif 000006
【図５】
2004350552.tif 000007